(57)【要約】  【課題】２値画像データをより高圧縮率で可逆圧縮できる画像データ圧縮装置を提供する。  【解決手段】スキャナ２で読み取って２値化部４で２値化した後の入力画像データに基づいて、孤立点除去部５で、孤立点を含まない画像データ（非孤立点データ）と、非孤立点を含まない画像データ（孤立点データ）とを生成する。可逆圧縮部８で、非孤立点データと孤立点データとを個別に可逆圧縮する。  【効果】それぞれ周期性のよい孤立点データと非孤立点データとを個別に可逆圧縮すれば、連続性や周期性が不規則な２値画像データをそのまま可逆圧縮する場合よりも圧縮率が向上する場合がある。【選択図】        図１
2005167386.tif 000002
【特許請求の範囲】
【請求項１】
入力された２値画像データに基づいて、隣接する画素がすべて異なる画素である孤立点を抽出して孤立点データを生成する孤立点データ生成手段と、
入力された２値画像データに基づいて、隣接する画素の少なくとも１つが同じ画素である非孤立点を抽出して非孤立点データを生成する非孤立点データ生成手段と、
孤立点データと非孤立点データとを個別に可逆圧縮する個別画像データ圧縮手段と
を含むことを特徴とする画像データ圧縮装置。
【請求項２】
孤立点データに含まれる孤立点以外の画素の画素データのうち、少なくとも孤立点に隣接する所定の画素の画素データを白黒反転して孤立点と同じ画素に変換することにより、変換孤立点データを生成する変換孤立点データ生成手段を含み、
上記個別画像データ圧縮手段は、変換孤立点データと非孤立点データとを個別に可逆圧縮するものであることを特徴とする請求項１記載の画像データ圧縮装置。
【請求項３】
上記変換孤立点データ生成手段は、孤立点データに含まれる所定の２つの孤立点間にある画素の画素データを白黒反転して上記２つの孤立点と同じ画素に変換することにより、変換孤立点データを生成するものであることを特徴とする請求項２記載の画像データ圧縮装置。
【請求項４】
上記個別画像データ圧縮手段により可逆圧縮されている変換孤立点データを伸長する変換孤立点データ伸長手段と、
伸長後の変換孤立点データを上記変換孤立点データ生成手段による変換前の孤立点データに復元する孤立点データ復元手段と
を含むことを特徴とする請求項２または３記載の画像データ圧縮装置。
【請求項５】
入力された２値画像データを可逆圧縮する入力画像データ圧縮手段と、
孤立点データに含まれる孤立点の画素データの存在頻度に応じて、上記入力画像データ圧縮手段により入力された２値画像データを可逆圧縮するか、または上記個別画像データ圧縮手段により孤立点データと非孤立点データとを個別に可逆圧縮するかを決定する圧縮決定手段と
を含むことを特徴とする請求項１〜４のいずれかに記載の画像データ圧縮装置。
【発明の詳細な説明】
【技術分野】
【０００１】
この発明は、入力された２値画像データを可逆圧縮するための画像データ圧縮装置に関する。
【背景技術】
【０００２】
デジタル複写機などの画像形成装置は、通常、スキャナで読み取った原稿の画像データを記憶しておくためのメモリを備えている。メモリに記憶された画像データは、所定のタイミングで読み出され、その読み出された画像データに基づく画像（トナー像）が用紙に記録（出力）される。メモリの容量は有限であるため、原稿の画像データをより高圧縮率で圧縮してメモリに記憶させることにより、メモリの使用量を抑制できるようになっていることが好ましい。
【０００３】
そこで、比較的高圧縮率でデータを圧縮可能な非可逆圧縮形式（たとえば、ＪＰＥＧ形式など）で画像データを圧縮してメモリに記憶させることにより、メモリの使用量を抑制することが考えられる。しかし、画像データを非可逆圧縮した場合には、その後に画像データを伸長しても元の画像データを得ることができず、出力された画像が劣化してしまう。
【０００４】
したがって、画像の劣化を防止するためには、可逆圧縮形式（たとえば、２値画像データを可逆圧縮するためのＪＢＩＧ形式、ＭＭＲ形式、ＭＲ形式およびＭＨ形式など）で画像データを圧縮することが好ましいが（たとえば、特許文献１参照）、可逆圧縮形式では、非可逆圧縮形式と比較して圧縮率が低いという問題がある。
可逆圧縮形式による２値画像データの圧縮時に圧縮率が低下する原因の１つとして、孤立点（隣接する画素がすべて白画素である黒画素）の存在が考えられる。一般的に、可逆圧縮形式で２値画像データを圧縮した場合、２値画像データに含まれる各画素データの連続性や周期性によって圧縮率が変化し、たとえば、孤立点がなく黒画素が隣接して存在している場合の方が、孤立点が存在している場合よりも２値画像データの圧縮率が高くなることが知られている。
【特許文献１】特開平１０−１０８０１３号公報
【発明の開示】
【発明が解決しようとする課題】
【０００５】
この発明は、かかる背景のもとでなされたもので、２値画像データをより高圧縮率で可逆圧縮できる画像データ圧縮装置を提供することを目的とする。
【課題を解決するための手段】
【０００６】
上記目的を達成するための請求項１記載の発明は、入力された２値画像データに基づいて、隣接する画素がすべて異なる画素である孤立点を抽出して孤立点データを生成する孤立点データ生成手段（５）と、入力された２値画像データに基づいて、隣接する画素の少なくとも１つが同じ画素である非孤立点を抽出して非孤立点データを生成する非孤立点データ生成手段（５）と、孤立点データと非孤立点データとを個別に可逆圧縮する個別画像データ圧縮手段（８）とを含むことを特徴とする画像データ圧縮装置（１）である。
【０００７】
なお、括弧内の英数字は、後述の実施形態における対応構成要素などを表す。以下、この項において同じ。
この構成によれば、各画素データの連続性や周期性が不規則な画像データ（２値画像データ）を圧縮する場合でも、その画像データをそれぞれ周期性のよい孤立点データと非孤立点データとに分割することができる。それぞれ周期性のよい孤立点データと非孤立点データとを個別に可逆圧縮すれば、連続性や周期性が不規則な画像データをそのまま可逆圧縮する場合よりも圧縮率が向上する場合があり、この場合、画像データをより高圧縮率で可逆圧縮できる。
【０００８】
請求項２記載の発明は、孤立点データに含まれる孤立点以外の画素の画素データのうち、少なくとも孤立点に隣接する所定の画素の画素データを白黒反転して孤立点と同じ画素に変換することにより、変換孤立点データを生成する変換孤立点データ生成手段（６）を含み、上記個別画像データ圧縮手段（８）は、変換孤立点データと非孤立点データとを個別に可逆圧縮するものであることを特徴とする請求項１記載の画像データ圧縮装置（１）である。
【０００９】
この構成によれば、孤立点に隣接する所定の画素の画素データが白黒反転されることにより、孤立点の画素データが非孤立点の画素データに変換されることとなり、孤立点データの連続性がより向上する。したがって、変換後の孤立点データ（変換孤立点データ）と非孤立点データとを個別に可逆圧縮することにより、画像データをより高圧縮率で可逆圧縮できる。
【００１０】
請求項３記載の発明のように、上記変換孤立点データ生成手段（６）は、孤立点データに含まれる所定の２つの孤立点間にある画素の画素データを白黒反転して上記２つの孤立点と同じ画素に変換することにより、変換孤立点データを生成するものであれば、孤立点データの連続性をさらに向上させることができ、画像データをさらに高圧縮率で可逆圧縮できる。
【００１１】
請求項４記載の発明は、上記個別画像データ圧縮手段（８）により可逆圧縮されている変換孤立点データを伸長する変換孤立点データ伸長手段（１０）と、伸長後の変換孤立点データを上記変換孤立点データ生成手段（６）による変換前の孤立点データに復元する孤立点データ復元手段（１１）とを含むことを特徴とする請求項２または３記載の画像データ圧縮装置（１）である。
【００１２】
この構成によれば、伸長された変換孤立点データが変換前の孤立点データに復元されるので、この復元された孤立点データと伸長後の非孤立点データとを合成して元の画像を得ることができる。
請求項５記載の発明は、入力された２値画像データを可逆圧縮する入力画像データ圧縮手段（８）と、孤立点データに含まれる孤立点の画素データの存在頻度に応じて、上記入力画像データ圧縮手段により入力された２値画像データを可逆圧縮するか、または上記個別画像データ圧縮手段（８）により孤立点データと非孤立点データとを個別に可逆圧縮するかを決定する圧縮決定手段（７）とを含むことを特徴とする請求項１〜４のいずれかに記載の画像データ圧縮装置（１）である。
【００１３】
この構成によれば、孤立点データに含まれる孤立点の画素データの存在頻度に基づいて、孤立点データと非孤立点データとを個別に可逆圧縮した場合と、連続性や周期性が不規則な画像データをそのまま可逆圧縮した場合とで、より圧縮率が高い手法で画像データを可逆圧縮することができる。
【発明を実施するための最良の形態】
【００１４】
以下には、図面を参照して、この発明の実施形態について具体的に説明する。
図１は、この発明の一実施形態に係る画像処理部１を備えたデジタル複写機の概略構成を示すブロック図である。
図１を参照して、このデジタル複写機は、スキャナ２で読み取った原稿のカラー画像データ（レッド（Ｒ）、グリーン（Ｇ）およびブルー（Ｂ）の各色につき多値（「０」〜「２５５」）の濃度値データ）から２値画像データを生成し、その２値画像データに基づいて画像形成部３で黒色のトナーを用紙に転写することによって、原稿画像に基づく２値画像を用紙に形成（出力）するものである。
【００１５】
スキャナ２には、原稿に向けて光を照射するための光源と、原稿からの反射光を受光してアナログ信号を出力するＣＣＤイメージセンサとが備えられている（図示せず）。ＣＣＤイメージセンサは、複数個のＣＣＤ素子がライン状に配列されることにより構成されていて、これらのＣＣＤ素子の配列方向の電気的な主走査と、光源およびＣＣＤイメージセンサの原稿に対する相対的な移動による副走査とによって、原稿画像の読み取りが達成される。
【００１６】
画像形成部３の構成は、たとえば、感光体、メインチャージャ、現像装置および転写装置などを含む周知の構成である。すなわち、画像形成時には、略円筒状の感光体の表面がメインチャージャによって一様に帯電され、この感光体の表面に画像データに基づいて光が照射されることにより、感光体の表面にいわゆる静電潜像が形成される。静電潜像が形成された感光体の表面には、現像装置により黒色のトナーが選択的に付着され、トナー像が形成される。そして、感光体の表面に形成されたトナー像は、転写装置の働きによって用紙に転写される。
【００１７】
画像処理部１は、スキャナ２から入力された画像データに対して所定の画像処理を施すためのものである。画像処理部１は、たとえば、マイクロコンピュータを含む構成であって、このマイクロコンピュータがプログラム処理を実行することにより、２値化部４、孤立点除去部５、データ変換部６、圧縮方法決定部７、可逆圧縮部８、メモリ制御部９、データ伸長部１０、データ復元部１１およびデータ合成部１２などを機能的に備えている。
【００１８】
スキャナ２から画像処理部１に画像データが入力されると、２値化部４において、その画像データを構成する各画素データが２値化（白画素に対応する「０」または黒画素に対応する「１」に変換）される。２値化後の画像データ（入力画像データ）は、孤立点除去部５および可逆圧縮部８に入力される。
孤立点除去部５は、入力画像データから孤立点（主走査方向に隣接する画素がすべて白画素である黒画素）を除去し、孤立点を含まない画像データ（非孤立点データ）と、非孤立点（孤立点でない黒画素、すなわち主走査方向に隣接する画素の少なくとも１つが黒画素である黒画素）を含まない画像データ（孤立点データ）とを生成するものである。
【００１９】
図２は、孤立点除去部５における処理の内容を説明するための図であって、画像データを模式的に示している。図２（ａ）は入力画像データを示しており、図２（ｂ）は非孤立点データを示しており、図２（ｃ）は孤立点データを示している。
図２（ａ）に示すように、入力画像データは、複数（たとえば、３行×１０列）の画素データを含み、各画素データは、その画素の濃度値データ（「０」または「１」）を含む。孤立点除去部５は、入力画像データの各画素データを主走査方向に沿って順次注目画素データとし、１行に含まれるすべての画素データを注目画素データとした後は、副走査方向に移動して次の行の各画素データを主走査方向に沿って順次注目画素データにするといったようにして、入力画像データに含まれるすべての画素データを連続的に注目画素データとし、各注目画素データが孤立点の画素データであるか否かを判定する（孤立点判定）。
【００２０】
そして、注目画素データが黒画素の画素データ（濃度値データが「１」）であって、その前に注目画素データとした画素データ、およびその後に注目画素データとする画素データがいずれも白画素の画素データ（濃度値データが「０」）である場合には、その注目画素データを孤立点の画素データであると認定する。一方、注目画素データが白画素の画素データ（濃度値データが「０」）である場合、または、注目画素データが黒画素の画素データ（濃度値データが「１」）であるが、その前に注目画素データとした画素データ、およびその後に注目画素データとする画素データの少なくとも一方が黒画素の画素データ（濃度値データが「１」）である場合には、その注目画素データを非孤立点の画素データであると認定する。
【００２１】
孤立点除去部５では、上記のようにして、入力画像データのすべての画素データについて孤立点判定を行い、その結果に基づいて非孤立点データ（図２（ｂ）参照）および孤立点データ（図２（ｃ）参照）を生成する。図２に示すように、非孤立点データおよび孤立点データは、それぞれ入力画像データと同じサイズ（たとえば、３行×１０列）の画像データであって、非孤立点データは非孤立点以外の画素データが白画素の画素データ（濃度値データが「０」）となっており、孤立点データは孤立点以外の画素データが白画素の画素データ（濃度値データが「０」）となっている。
【００２２】
再び図１を参照して、孤立点除去部５で生成された非孤立点データは、可逆圧縮部８に入力される。一方、孤立点除去部５で生成された孤立点データは、データ変換部６および圧縮方法決定部７に入力される。データ変換部６では、入力された孤立点データの各画素データの連続性を向上するために、所定の画素データを白黒反転する処理（白黒反転処理）が行われる。
【００２３】
図３は、データ変換部６による白黒反転処理が行われた後の孤立点データの内容を示す図である。
図３を参照して、データ変換部６は、孤立点データ（図２（ｃ）参照）の各画素データを主走査方向に沿って順次注目画素データとし、１行に含まれるすべての画素データを注目画素データとした後は、副走査方向に移動して次の行の各画素データを主走査方向に沿って順次注目画素データにするといったようにして、入力画像データに含まれるすべての画素データを連続的に注目画素データとし、各注目画素データが白黒反転処理すべき画素データであるか否かを判定する。
【００２４】
そして、注目画素データが黒画素の画素データ（濃度値データが「１」）である場合には、その後に注目画素データとする白画素の画素データ（濃度データが「０」）を、次に黒画素の画素データが現れるまで黒画素の画素データ（濃度値データが「１」）に変換するとともに、黒画素の画素データが現れた時点で、その注目画素データを白画素の画素データ（濃度データが「０」）に変換するといった処理を繰り返すことにより、白黒反転処理を行う。
【００２５】
このようにして生成された白黒反転処理後の孤立点データ（変換孤立点データ）は、図３に示すように孤立点を含まない画像データとなり、白黒反転処理前の孤立点データと比較して、各画素データの連続性が向上する。生成された変換孤立点データは、可逆圧縮部８に入力される（図１参照）。
図４は、孤立点除去部５およびデータ変換部６による処理結果の具体例を示す図であって、図４（ａ）は入力画像データ、図４（ｂ）は非孤立点データ、図４（ｃ）は変換孤立点データをそれぞれ示している。
【００２６】
孤立点除去部５において、図４（ａ）に示すような入力画像データから孤立点を除去すると、図４（ｂ）に示すように、孤立点を含まない周期性が向上された非孤立点データが生成される。また、孤立点除去部５で生成された孤立点データに対してデータ変換部６で白黒反転処理が施されると、図４（ｃ）に示すように、孤立点データよりも各画素データの連続性が向上された変換孤立点データが生成される。
【００２７】
再び図１を参照して、圧縮方法決定部７では、孤立点データに基づいて、入力画像データをそのまま圧縮するか、非孤立点データと変換孤立点データとを個別に圧縮するかが決定される。
より具体的には、圧縮方法決定部７では、孤立点データに含まれる孤立点の画素データの位置および数から、当該孤立点データに含まれる孤立点の存在頻度が算出される。そして、その孤立点の存在頻度が所定の第１閾値以上であれば、孤立点の存在頻度が高く、入力画像データに含まれる各画素データの周期性が比較的低いので、各画素データの周期性を向上して圧縮率を高くするために、非孤立点データと変換孤立点データとを個別に圧縮するよう決定される。一方、孤立点の存在頻度が上記第１閾値未満であれば、孤立点の存在頻度が低く、入力画像データに含まれる各画素データの周期性が比較的高いので、非孤立点データと変換孤立点データとを個別に圧縮すると圧縮率がかえって低くなってしまう。この場合には、入力画像データをそのまま圧縮するよう決定される。
【００２８】
また、孤立点の存在頻度が所定の第２閾値（第２閾値＞第１閾値）以上であり、孤立点の存在頻度が極めて多い場合には、孤立点データ（変換孤立点データ）を個別に圧縮すると、圧縮率が悪くなる場合がある。この場合には、非孤立点データと変換孤立点データとを個別に圧縮すると圧縮率がかえって低くなってしまうので、入力画像データをそのまま圧縮するよう決定される。
【００２９】
このように、孤立点の存在頻度が所定の範囲内（第１閾値以上、第２閾値未満）である場合には、非孤立点データと変換孤立点データとを個別に圧縮するよう決定され、孤立点の存在頻度が上記所定の範囲内でない場合には、入力画像データをそのまま圧縮するよう決定されるようになっていることが好ましい。第１閾値および第２閾値は、それぞれ原稿画像の内容によって異なる値に設定することができる。たとえば、大部分が文字領域であって、網点領域を若干含むような原稿画像の画像データを圧縮する場合には、第１閾値は２％程度、第２閾値は１５％程度であることが好ましい。圧縮方法決定部７により決定された圧縮方法のデータは、可逆制御部８に入力される。
【００３０】
可逆圧縮部８では、圧縮方法決定部７から入力されたデータに基づく可逆圧縮処理が行われる。すなわち、圧縮方法決定部７で入力画像データをそのまま圧縮すると決定されている場合には、その決定に基づいて入力画像データがそのまま圧縮される一方、圧縮方法決定部７で非孤立点データと変換孤立点データとを個別に圧縮すると決定されている場合には、その決定に基づいて非孤立点データと変換孤立点データとが個別に圧縮される。
【００３１】
この可逆圧縮部８における可逆圧縮処理の圧縮形式としては、たとえば、ＭＭＲ（Modified MR(Modified Relative edge address designate)）形式を採用することができる。ただし、圧縮形式は、ＭＭＲ形式に限らず、たとえば、ＪＢＩＧ（Joint Bi-lebel Image experts Group）形式、ＭＲ(Modified Relative edge address designate)形式およびＭＨ（Modified Huffman）形式などの他の可逆圧縮形式であってもよい。この場合、可逆圧縮部８は、非孤立点データと変換孤立点データとを異なる圧縮形式で可逆圧縮するものであってもよい。
【００３２】
可逆圧縮部８で圧縮された画像データは、メモリ制御部９の働きによって、画像処理部１に備えられたメモリ１３に記憶される。このメモリ１３に記憶されている圧縮された画像データは、メモリ制御部９の働きによって所定のタイミングで読み出され、データ伸長部１０に与えられて伸長される。可逆圧縮部８で入力画像データがそのまま圧縮された場合には、その入力画像データは、データ伸長部１０で伸長された後、そのまま画像形成部３に入力される。一方、可逆圧縮部８で非孤立点データと変換孤立点データとが個別に圧縮された場合には、非孤立点データは、データ伸長部１０で伸長された後、データ合成部１２に入力され、変換孤立点データは、データ伸長部１０で伸長された後、データ復元部１１に入力される。
【００３３】
データ復元部１１では、入力された変換孤立点データを白黒反転処理前の孤立点データに復元するための処理が行われる。具体的には、データ復元部１１は、変換孤立点データ（図３参照）の各画素データを主走査方向に沿って順次注目画素データとし、１行に含まれるすべての画素データを注目画素データとした後は、副走査方向に移動して次の行の各画素データを主走査方向に沿って順次注目画素データにするといったようにして、入力画像データに含まれるすべての画素データを連続的に注目画素データとし、各注目画素データが復元すべき画素データであるか否かを判定する。
【００３４】
そして、注目画素データが黒画素の画素データ（濃度値データが「１」）である場合には、その後に注目画素データとする黒画素の画素データ（濃度データが「１」）を、次に白画素の画素データが現れるまで白画素の画素データ（濃度値データが「０」）に変換するとともに、白画素の画素データが現れた時点で、その注目画素データを黒画素の画素データ（濃度データが「１」）に変換するといった処理を繰り返すことにより、孤立点データを復元する。
【００３５】
データ復元部１１で復元された孤立点データはデータ合成部１２に入力され、このデータ合成部１２において、非孤立点データと復元後の孤立点データとが合成されることにより、元の入力画像データが得られ、その入力画像データが画像形成部３に入力される。データ合成部１２では、非孤立点データおよび復元後の孤立点データの対応する画素データの論理和をとることにより、非孤立点データと復元後の孤立点データとが合成される。
【００３６】
この実施形態では、各画素データの連続性や周期性が不規則な入力画像データ（２値画像データ）を可逆圧縮する場合でも、孤立点除去部５において、その入力画像データをそれぞれ周期性のよい孤立点データと非孤立点データとに分割することができる。それぞれ周期性のよい孤立点データと非孤立点データとを個別に可逆圧縮すれば、連続性や周期性が不規則な入力画像データをそのまま可逆圧縮する場合よりも圧縮率が向上する場合があり、この場合、入力画像データをより高圧縮率で可逆圧縮できる。
【００３７】
また、データ変換部６では、孤立点に隣接する所定の画素の画素データが白黒反転されることにより、孤立点の画素データが非孤立点の画素データに変換されることとなり、孤立点データの連続性がより向上する。したがって、変換後の孤立点データ（変換孤立点データ）と非孤立点データとを個別に可逆圧縮することにより、画像データをより高圧縮率で可逆圧縮できる。
【００３８】
特に、この実施形態では、孤立点データに含まれる所定の２つの孤立点間にある画素の画素データを黒画素の画素データに変換して変換孤立点データを生成するので、孤立点データの連続性をさらに向上させることができ、画像データをさらに高圧縮率で可逆圧縮できる。
また、この実施形態では、圧縮方法決定部７の働きにより、孤立点データに含まれる孤立点の画素データの存在頻度に基づいて、孤立点データと非孤立点データとを個別に可逆圧縮した場合と、連続性や周期性が不規則な入力画像データをそのまま可逆圧縮した場合とで、より圧縮率が高い手法で入力画像データを可逆圧縮することができる。
【００３９】
この発明は、以上の実施形態の内容に限定されるものではなく、請求項記載の範囲内において種々の変更が可能である。
たとえば、データ変換部６では、孤立点データに含まれる所定の２つの孤立点間のすべての画素を黒画素に変換するのではなく、孤立点に対して主走査方向に隣接する画素だけを黒画素に変換するものであってもよいし、データ変換部６による孤立点データの変換を行わずに孤立点データをそのまま可逆圧縮部８で圧縮するような構成であってもよい。
【００４０】
孤立点は、主走査方向に隣接する画素がすべて白画素である黒画素に限らず、主走査方向に隣接する画素がすべて黒画素である白画素を含むものであってもよい。また、主走査方向だけでなく副走査方向に隣接する画素も含めて、隣接する画素がすべて白画素である黒画素、または隣接する画素がすべて黒画素である白画素を孤立点としてもよい。
この発明の一実施形態としてデジタル複写機を例にとって説明したが、この発明は、デジタル複写機に限らず、ファクシミリなどの他の画像形成装置や、スキャナ装置などの画像読取装置にも適用可能である。
【００４１】
さらに、画像処理部１が画像形成装置等に備えられたような構成に限らず、画像処理装置（画像データ圧縮装置）が画像形成装置等とは別個に構成されていてもよい。
【図面の簡単な説明】
【００４２】
【図１】この発明の一実施形態に係る画像処理部を備えたデジタル複写機の概略構成を示すブロック図である。
【図２】孤立点除去部における処理の内容を説明するための図であって、画像データを模式的に示している。
【図３】データ変換部による白黒反転処理が行われた後の孤立点データの内容を示す図である。
【図４】孤立点除去部およびデータ変換部による処理結果の具体例を示す図である。
【符号の説明】
【００４３】
１  画像処理部
５  孤立点除去部
６  データ変換部
７  圧縮方法決定部
８  可逆圧縮部
１０  データ伸長部
１１  データ復元部
【図１】
2005167386.tif 000003
【図２】
2005167386.tif 000004
【図３】
2005167386.tif 000005
【図４】
2005167386.tif 000006